【手続補正書】
【提出日】令和1年9月6日(2019.9.6)
【手続補正１】
【補正対象書類名】特許請求の範囲
【補正対象項目名】全文
【補正方法】変更
【補正の内容】
【特許請求の範囲】
【請求項１】
入力電源と電力調整器との間に結合されたパワートランジスタを通る電流を検知するための回路であって、
前記パワートランジスタの第1の端子に結合されるように構成された第1のノードと、電流検知回路に結合された電流検知回路ノードとの間に結合された第1の電流検知トランジスタを備える第1の電流ループであって、前記回路の順方向電流モード中に前記パワートランジスタを通る電流を検知するように構成された、第1の電流ループと、
前記電流検知回路ノードと前記パワートランジスタの第2の端子に結合されるように構成された第2のノードとの間に結合された第2の電流検知トランジスタを備える第2の電流ループであって、前記回路の逆方向電流モード中に前記パワートランジスタを通る電流を検知するように構成された、第2の電流ループと
を備え、
前記回路は、前記回路が前記順方向電流モードであるか、それとも前記回路が前記逆方向電流モードであるかに基づいて一度に、第1の電流検知ループおよび第2の電流検知ループのうちの一方のみをアクティブ化するように構成された手段を備える、回路。
【請求項２】
回路モードに基づいて相補出力を提供するように構成されたレベルシフタをさらに含み、前記レベルシフタが、前記第1の電流検知トランジスタをアクティブ化または非アクティブ化するために前記第1の電流検知トランジスタのゲート端子と結合された第1の出力と、前記第2の電流検知トランジスタをアクティブ化または非アクティブ化するために前記第2の電流検知トランジスタのゲート端子と結合された第2の出力とを有し、前記レベルシフタの前記相補出力が、前記回路が順方向電流モードであるとき、前記第1の電流検知トランジスタをオンにし、前記第2の電流検知トランジスタをオフにすること、または前記回路が逆方向電流モードであるとき、前記第1の電流検知トランジスタをオフにし、前記第2の電流検知トランジスタをオンにすることのいずれかを行うように構成される、請求項1に記載の回路。
【請求項３】
前記第1の電流検知ループが、演算増幅器と結合された前記第1の電流検知トランジスタを備え、前記演算増幅器が、前記パワートランジスタの前記第1の端子の電圧を、前記第1の電流検知トランジスタの対応する端子の電圧と等しくするように構成される、請求項1に記載の回路。
【請求項４】
前記パワートランジスタの前記第1の端子がそのソース端子であり、前記演算増幅器が、前記パワートランジスタの前記ソース端子の電圧信号を、前記第1の電流検知トランジスタの対応するソース端子の電圧信号と等しくするように構成される、請求項3に記載の回路。
【請求項５】
前記第2の電流検知ループが、前記演算増幅器と結合された前記第2の電流検知トランジスタを備え、前記演算増幅器が、前記パワートランジスタの前記第2の端子の電圧を、前記第2の電流検知トランジスタの対応する端子の電圧と等しくするように構成され、前記パワートランジスタの前記第2の端子がそのドレイン端子であり、前記演算増幅器が、前記パワートランジスタの前記ドレイン端子の電圧信号を、前記第2の電流検知トランジスタの対応するドレイン端子の電圧信号と等しくするように構成される、請求項3に記載の回路。
【請求項６】
前記回路のモードに基づいて、前記パワートランジスタにおける順方向電流の検知と逆方向電流の検知の間で選択するように構成された選択論理をさらに備える、請求項1に記載の回路。
【請求項７】
前記選択論理の出力が、順方向電流モード中に前記パワートランジスタの前記第1の端子における電圧を伝える信号、または逆方向電流モード中に前記パワートランジスタの前記第2の端子における電圧を伝える信号のいずれかとなる、請求項6に記載の回路。
【請求項８】
前記選択論理がマルチプレクサを含み、前記マルチプレクサの出力が、演算増幅器の一方の入力に提供され、前記演算増幅器の他方の入力が、順方向電流モードにおける前記第1の電流検知トランジスタでの検知された電圧、または逆方向電流モードにおける前記第2の電流検知トランジスタでの検知された電圧のいずれかを供給される、請求項6に記載の回路。
【請求項９】
前記回路の前記電流検知回路ノードを通る電流をバッファリングし、バッファリングされた電圧を前記電力調整器に提供するように適合されたバッファ回路をさらに備える、請求項1に記載の回路。
【請求項１０】
入力電源と電力調整器との間に結合されたパワートランジスタを通る電流を検知するための方法であって、
前記パワートランジスタの第1の端子に結合されるように構成された第1のノードと電流検知回路ノードとの間に結合された第1の電流検知トランジスタを備える第1の電流ループを用いて回路の順方向電流モード中に前記パワートランジスタを通る電流を検知するステップと、
前記電流検知回路ノードと前記パワートランジスタの第2の端子に結合されるように構成された第2のノードとの間に結合された第2の電流検知トランジスタを備える第2の電流ループを用いて前記回路の逆方向電流モード中に前記パワートランジスタを通る電流を検知するステップであって、
前記第1および第2の電流検知トランジスタが、前記パワートランジスタと並列に、直列接続を形成する、検知するステップと、
前記回路が前記順方向電流モードであるか、それとも前記逆方向電流モードであるかに基づいて、第1の電流ループおよび第2の電流ループのうちの一方のみをアクティブ化するステップと
を含む、方法。
【請求項１１】
前記回路の選択されたモードに基づいてレベルシフタから相補出力を提供するステップであって、前記レベルシフタが、前記第1の電流検知トランジスタをアクティブ化または非アクティブ化するために前記第1の電流検知トランジスタのゲート端子と結合された第1の出力と、前記第2の電流検知トランジスタをアクティブ化または非アクティブ化するために前記第2の電流検知トランジスタのゲート端子と結合された第2の出力とを有する、提供するステップと、前記回路が順方向電流モードであるとき、前記第1の電流検知トランジスタをオンにし、前記第2の電流検知トランジスタをオフにすること、または前記回路が逆方向電流モードであるとき、前記第1の電流検知トランジスタをオフにし、前記第2の電流検知トランジスタをオンにすることのいずれかを行うステップとをさらに含む、請求項10に記載の方法。
【請求項１２】
演算増幅器を使用して、前記パワートランジスタの前記第1の端子の電圧を前記第1の電流検知トランジスタの対応する端子の電圧と等しくするステップをさらに含み、演算増幅器を使用して、前記パワートランジスタの前記第2の端子の電圧を前記第2の電流検知トランジスタの対応する端子の電圧と等しくするステップをさらに含む、請求項10に記載の方法。
【請求項１３】
前記回路の選択されたモードに基づいて、前記パワートランジスタにおける順方向電流の検知と逆方向電流の検知の間で選択するステップをさらに含む、請求項10に記載の方法。
【請求項１４】
順方向電流モード中に前記パワートランジスタの順方向電流をミラーリングすること、または逆方向電流モード中に前記パワートランジスタの逆方向電流をミラーリングすることのいずれかを行うステップをさらに含む、請求項10に記載の方法。
【請求項１５】
電流検知回路ノードを通る検知された電流をバッファリングするステップと、バッファリングされた電圧を前記電力調整器に提供するステップとをさらに含む、請求項10に記載の方法。